(57)【要約】      （修正有）【課題】一対の包装箱を容易かつ確実に連結及び連結解除することが可能な包装箱用シート及び包装箱セットを提供する。【解決手段】包装箱用シート１は、一枚の段ボールシートからなり、一方向に連接される４つのパネル２〜４を備え、一端側のパネル２の一端と他端側のパネル５の他端とが連結されることで四角筒状部を有する箱型に組立可能であって、一端側のパネル２の一端の中央部から突設される係合片１４と、組立てられた他の包装箱用シートの係合片が係合可能な係合孔２０とを備え、係合片１４が基端部付近に一端と略平行に形成される折り曲げ部１８を有する。他端側のパネル５の他端から延出される糊代部１５を備え、係合孔２０がこの他端側のパネル５の一端側に形成されているとよい。係合片１４が折り曲げ部１８よりも基端部側で一端と略平行に形成される破断容易線１９を有するとよい。【選択図】図１
0003193040.tif 000002
【実用新案登録請求の範囲】
【請求項１】
一枚の段ボールシートからなり、一方向に連接される４つのパネルを備え、一端側のパネルの一端と他端側のパネルの他端とが連結されることで四角筒状部を有する箱型に組立可能な包装箱用シートであって、
上記一端側のパネルの一端の中央部から突設される係合片と、組立てられた他の包装箱用シートの係合片が係合可能な係合孔とを備え、
上記係合片が基端部付近に上記一端と略平行に形成される折り曲げ部を有することを特徴とする包装箱用シート。
【請求項２】
上記他端側のパネルの他端から延出される糊代部を備え、
上記係合孔がこの他端側のパネルの一端側に形成されている請求項１に記載の包装箱用シート。
【請求項３】
上記係合片が上記折り曲げ部よりも基端部側で上記一端と略平行に形成される破断容易線を有する請求項２に記載の包装箱用シート。
【請求項４】
上記糊代部が組立状態において上記一端側のパネルの裏面側に接合される接合部位と、この接合部位の基端部側に位置し、組立状態で側壁の一部を構成する基端部位とを有し、
上記破断容易線が、組立状態における上記基端部位との重畳位置に形成される請求項３に記載の包装箱用シート。
【請求項５】
一対の請求項１から請求項４のいずれか１項に記載の包装箱用シートを組立ててなる一対の包装箱を有し、一の包装箱の係合片が他の包装箱の係合孔に係合すると共に他の包装箱の係合片が一の包装箱の係合孔に係合し、各係合片が折り曲げ部において折り曲げられた状態で商品が収納される包装箱セット。
【考案の詳細な説明】
【技術分野】
【０００１】
本考案は、包装箱用シート及び包装箱セットに関する。
【背景技術】
【０００２】
従来、商品を保管、運搬等するために、段ボールシートから組立てられる直方体状の包装箱が用いられている。このような包装箱は、通常、商品毎の収容可能数量が予め定まっており、商品の保管や運搬に際しては、包装箱の数量に基づいて商品の保管数、運搬数等が計算される。
【０００３】
それゆえ、このような包装箱については、商品の保管時や運搬時等には、例えば商品のロットや発注単位毎の管理を容易かつ確実に行うことができるように、複数の包装箱を一体的に取り扱いたいという要望が強い。また同時に、このような包装箱については、商品の販売時等には、必要に応じて商品を取り扱えるように各包装箱単位で管理したいという要望が強い。
【０００４】
このような点から、今日では、２個の包装箱を合体させることができると共にこれらの包装箱を分離可能に構成された連結分離機能付き箱（実用新案登録第２５０８０７４号公報参照）が提案されている。この公報所載の連結分離機能付き箱は、２つの箱の側壁を突き合わせ、一方の箱の側壁に設けられたＴ字型の差込片を他方の箱の側壁に設けられた差込孔に挿入すると共に、他方の箱の側壁に設けられたＴ字型の差込片を一方の箱の側壁に設けられた差込孔に挿入することによって２つの箱を連結することができる。
【０００５】
しかしながら、この連結分離機能付き箱は、Ｔ字型に形成された差込片の両翼を折線に沿って折り曲げた状態で差込孔に挿入したうえ、挿入後にこの両翼を展開することによって他方の箱に連結されるものであるため、連結時の作業性に劣るという不都合を有する。
【先行技術文献】
【特許文献】
【０００６】
【特許文献１】実用新案登録第２５０８０７４号公報
【考案の概要】
【考案が解決しようとする課題】
【０００７】
本考案は、このような不都合に鑑みてなされたものであり、一対の包装箱を容易かつ確実に連結及び連結解除することが可能な包装箱用シート及び包装箱セットの提供を目的とするものである。
【課題を解決するための手段】
【０００８】
上記課題を解決するためになされた本考案に係る包装箱用シートは、一枚の段ボールシートからなり、一方向に連接される４つのパネルを備え、一端側のパネルの一端と他端側のパネルの他端とが連結されることで四角筒状部を有する箱型に組立可能な包装箱用シートであって、上記一端側のパネルの一端の中央部から突設される係合片と、組立てられた他の包装箱用シートの係合片が係合可能な係合孔とを備え、上記係合片が基端部付近に上記一端と略平行に形成される折り曲げ部を有することを特徴とする。
【０００９】
当該包装箱用シートは、一端側のパネルの一端の中央部から突設される係合片と、組立てられた他の包装箱用シートの係合片が係合可能な係合孔とを備える。それゆえ、一対の当該包装箱用シートを組立てて形成される一対の包装箱は、一の包装箱の係合片を他の包装箱の係合孔に容易に係合することができると共に、他の包装箱の係合片を一の包装箱の係合孔に容易に係合することができる。また、当該包装箱用シートは、上記係合片が基端部付近に上記一端と略平行に形成される折り曲げ部を有するので、一の包装箱の係合片が他の包装箱の係合孔に係合され、他の包装箱の係合片が一の包装箱の係合孔に係合された状態で、一の包装箱の係合片及び他の包装箱の係合片を折り曲げ部において折り曲げることで一対の包装箱を容易かつ確実に連結することができ、特にこれらの係合片を折り曲げたうえ、内容物によって押さえつけることで一対の包装箱の連結をさらに強固に保つことができる。さらに、当該包装箱用シートは、例えば上記係合片の基端部付近を切断することによって一対の包装箱の連結を解除することができる。
【００１０】
上記他端側のパネルの他端から延出される糊代部を備え、上記係合孔がこの他端側のパネルの一端側に形成されているとよい。このように、上記他端側のパネルの他端から延出される糊代部を備え、上記係合孔がこの他端側のパネルの一端側に形成されることによって、一対の包装箱用シートを組立てて形成される一対の包装箱を上記他端側のパネル同士が対向するように突き合わせた場合に、一の包装箱の係合片と他の包装箱の係合孔、及び他の包装箱の係合片と一の包装箱の係合孔を容易かつ確実に係合することができる。
【００１１】
上記係合片が上記折り曲げ部よりも基端部側で上記一端と略平行に形成される破断容易線を有するとよい。このように、上記係合片が上記折り曲げ部よりも基端部側で上記一端と略平行に形成される破断容易線を有することによって、一対の包装箱用シートを組立てて形成される一対の包装箱の連結を解除する場合の係合片の切断作業の容易化が促進されると共に、上記係合片を上記折り曲げ部において折り曲げた場合における係合片の強度の低下を抑制することができる。
【００１２】
上記糊代部が組立状態において上記一端側のパネルの裏面側に接合される接合部位と、この接合部位の基端部側に位置し、組立状態で側壁の一部を構成する基端部位とを有し、上記破断容易線が、組立状態における上記基端部位との重畳位置に形成されるとよい。これにより、一対の包装箱用シートを組立てて形成される一対の包装箱の連結を解除する場合の係合片の切断作業の容易化がさらに促進されると共に、上記係合片を上記折り曲げ部において折り曲げた場合に上記破断容易線が上記基端部位によって内側から支持されることとなり、上記係合片の強度の低下が的確に抑制される。
【００１３】
また、上記課題を解決するためになされた本考案に係る包装箱セットは、一対の上記構成を有する当該包装箱用シートを組立ててなる一対の包装箱を有し、一の包装箱の係合片が他の包装箱の係合孔に係合すると共に他の包装箱の係合片が一の包装箱の係合孔に係合し、各係合片が折り曲げ部において折り曲げられた状態で商品が収納される。
【００１４】
当該包装箱セットは、一対の上記構成を有する当該包装箱用シートを組立てて形成される一対の包装箱を有するので、一の包装箱の係合片を他の包装箱の係合孔に容易に係合することができると共に、他の包装箱の係合片を一の包装箱の係合孔に容易に係合することができる。また、当該包装箱セットは、当該包装箱用シートが上記係合片の基端部付近に上記一端と略平行に形成される折り曲げ部を有するので、一の包装箱の係合片が他の包装箱の係合孔に係合され、他の包装箱の係合片が一の包装箱の係合孔に係合された状態で、一の包装箱の係合片及び他の包装箱の係合片を折り曲げ部において折り曲げることで容易かつ確実に連結可能であり、特にこれらの係合片を折り曲げたうえ、内容物によって押さえつけることでこの連結をさらに強固に保つことができる。さらに、当該包装箱セットは、例えば包装箱の上記係合片の基端部付近を切断することによって一対の包装箱の連結を解除することができる。
【００１５】
なお、本考案において、「中央部」とは、当該包装箱用シートのパネル端縁における両端を除いたいずれかの部分を意味する。また、「基端部」とは、基端側の端部を意味し、例えば「係合片の基端部」とは、係合片と一端側のパネルとの接合部をいい、「糊代部の基端部」とは、糊代部と他端側のパネルとの接合部をいう。
【考案の効果】
【００１６】
以上説明したように、本考案の包装箱用シート及び包装箱セットは、一対の包装箱を容易かつ確実に連結及び連結解除することができる。
【図面の簡単な説明】
【００１７】
【図１】本考案の第一実施形態に係る包装箱用シートを示す模式的平面図である。
【図２】一対の図１の包装箱用シートを組立てて形成される一対の包装箱を他端側のパネルが対向するように配置した状態を示す模式的斜視図である。
【図３】図２の一対の包装箱を連結した包装箱セットを示す模式的斜視図である。
【図４】図３の包装箱セットを示す模式的断面図である。
【図５】図３の包装箱セットの連結部分を示す模式的部分拡大図である。
【考案を実施するための形態】
【００１８】
以下、適宜図面を参照しつつ、本考案の実施の形態を詳説する。
【００１９】
［第一実施形態］
＜包装箱用シート＞
図１の包装箱用シート１は、厚みが略一定の一枚の段ボールシートから形成される。包装箱用シート１は、一方向に連接される矩形状の４つのパネル（パネル２、パネル３、パネル４、パネル５）を備える。包装箱用シート１は、４つのパネル（パネル２、パネル３、パネル４、パネル５）の各上端から延出する略矩形状の４つの上側フラップ（上側フラップ６、上側フラップ７、上側フラップ８、上側フラップ９）と、４つのパネル（パネル２、パネル３、パネル４、パネル５）の各下端から延出する略矩形状の４つの下側フラップ（下側フラップ１０、下側フラップ１１、下側フラップ１２、下側フラップ１３）とを有する。また、包装箱用シート１は、一端側のパネル２の一端の中央部から突設される係合片１４と、他端側のパネル５の他端から延出される糊代部１５とを有する。糊代部１５は、基端部側に位置する基端部位１６と、先端側に位置する接合部位１７とを有する。なお、「上」とは、当該包装箱用シート１を組立てて形成される包装箱における天面側を意味し、「下」とは、当該包装箱用シート１を組立てて形成される包装箱における底面側を意味する。
【００２０】
係合片１４は、先端側の両端が湾曲した形状を有し、全体として基端部から先端部に至るまで同一幅（ｗ１）の略矩形状に形成される。係合片１４は、基端部付近にパネル２の一端と略平行に形成される折り曲げ部１８を有する。また、係合片１４は、折り曲げ部１８よりも基端部側でパネル２の一端と略平行に形成される破断容易線１９を有する。破断容易線１９としては、例えば一定の間隔で形成されるスリットが挙げられる。係合片１４の基端部から破断容易線１９までの長さは、糊代部１５の基端部から接合部位１７の一端側までの長さより小さく形成されている。また、係合片１４の基端部から折り曲げ部１８までの長さは、糊代部１５の基端部から接合部位１７の一端側までの長さ以上とされている。
【００２１】
係合片１４の基端部から折り曲げ部１８までの長さと糊代部１５の基端部から接合部位１７の一端側までの長さとの差の上限としては、１５ｍｍが好ましく、１０ｍｍがより好ましく、５ｍｍがさらに好ましい。係合片１４の基端部から折り曲げ部１８までの長さと糊代部１５の基端部から接合部位１７の一端側までの長さとの差が上記上限を超える場合、係合片１４を組立てられた他の包装箱用シートの係合孔に係合したうえで折り曲げ部１８において折り曲げたときに折り曲げ部１８とパネルとの間に空隙が生じ、一対の包装箱を的確に固定できないおそれがある。
【００２２】
係合片１４の幅（ｗ１）の下限としては、パネル２の一端の長さの１／２が好ましく、１１／２０がより好ましい。一方、係合片１４の幅（ｗ１）の上限としては、パネル２の一端の長さの４／５が好ましく、７／１０がより好ましい。係合片１４の幅（ｗ１）が上記下限未満の場合、一対の包装箱における連結部分の強度が十分に得られないおそれがある。逆に、係合片１４の幅（ｗ１）が上記上限を超える場合、係合片１４を組立てられる他の包装箱用シートの係合孔に係合する際の作業性が低下するおそれがあると共に、係合孔より上側部分及び係合孔より下側部分の強度が不十分になるおそれがある。
【００２３】
他端側のパネル５は、一端側に係合孔２０を有する。係合孔２０は、組立てられた他の包装箱用シートの係合片が係合可能に形成される。係合孔２０は、略矩形状に形成される係合片固定領域２０ａと、係合片固定領域２０ａの他端側に形成される凸状領域２０ｂとを有する。凸状領域２０ｂの他端側の形状としては、例えば円弧状、台形状、釣鐘状等が挙げられる。なかでも、凸状領域２０ｂの他端側の形状としては、組立てられる他の包装箱用シートの係合片を係合片固定領域２０ａに固定し易く、かつこの係合片の係合作業性を促進可能な円弧状が好ましい。
【００２４】
係合片１４の幅（ｗ１）としては、係合孔２０の幅（ｗ２）以下であることが好ましい。係合孔２０の幅（ｗ２）と係合片１４の幅（ｗ１）との差の下限としては、１ｍｍが好ましく、２ｍｍがより好ましい。一方、係合孔２０の幅（ｗ２）と係合片１４の幅（ｗ１）との差の上限としては、１０ｍｍが好ましく、７ｍｍがより好ましく、５ｍｍがさらに好ましい。係合孔２０の幅（ｗ２）と係合片１４の幅（ｗ１）との差が上記下限未満の場合、係合片１４を組立てられる他の包装用シートの係合孔に係合する際の作業性が低下するおそれがある。逆に、係合孔２０の幅（ｗ２）と係合片１４の幅（ｗ１）との差が上記上限を超える場合、係合片１４を係合片固定領域２０ａに的確に固定できないおそれがある。
【００２５】
係合片固定領域２０ａの上端及び下端の長さは、係合片１４の厚み以上とされている。係合片固定領域２０ａの上端及び下端の長さと係合片１４の厚みとの差の下限としては、１ｍｍが好ましく、２ｍｍがより好ましい。一方、係合片固定領域２０ａの上端及び下端の長さと係合片１４の厚みとの差の上限としては、１０ｍｍが好ましく、７ｍｍがより好ましく、５ｍｍがさらに好ましい。係合片固定領域２０ａの上端及び下端の長さと係合片１４の厚みとの差が上記下限未満の場合、係合片１４の係合作業性が低下するおそれがある。逆に、係合片固定領域２０ａの上端及び下端の長さと係合片１４の厚みとの差が上記上限を超える場合、係合片１４を係合片固定領域２０ａに的確に固定できないおそれがある。
【００２６】
＜包装箱＞
図２の包装箱２１、２２は、各々当該包装箱用シート１を組立てて形成される。包装箱２１、２２は、包装箱用シート１の一端側のパネル２の一端と他端側のパネル５の他端とが連結されることで形成される四角筒状部を有する。具体的には、包装箱２１、２２は、
パネル４とパネル５との連接部分を折り曲げ、パネル２とパネル３との連接部分を折り曲げ、糊代部１５の表面とパネル２の裏面との重畳部位を接合することで四角筒状部を形成する。また、この場合において、糊代部１５のうちパネル２の裏面側に接合される部位が接合部位１７として形成される。これにより、包装箱２１、２２の四角筒状部は、パネル４によって一の側壁が形成されると共に、パネル２及び基端部位１６によってパネル４に対向する側壁が形成され、かつパネル３及びパネル５によって対向する他の一対の側壁が形成される。それゆえ、包装箱２１、２２は、パネル２及び基端部位１６の幅方向の合計長さ（ｗ３）がパネル４の幅方向長さ（ｗ４）と略同一長さとされる。なお、包装箱２１、２２は、下側フラップ１０と下側フラップ１２とを内側に折り曲げたうえ、下側フラップ１１と下側フラップ１３とを内側に折り曲げて突き合わせることによって底壁が形成される。また、包装箱２１、２２は、上側フラップ６と上側フラップ８とを内側に折り曲げたうえ、上側フラップ７と上側フラップ９とを内側に折り曲げて突き合わせることによって天壁を形成する。
【００２７】
係合片１４の折り曲げ部１８から先端に至るまでの突出方向長さ（ｄ）の下限としては、パネル５の幅方向長さ（ｗ４）の２／５が好ましく、１／２がより好ましく、１１／２０がさらに好ましい。一方、係合片１４の折り曲げ部１８から先端に至るまでの突出方向長さ（ｄ）の上限としては、パネル５の幅方向長さ（ｗ４）の３／４が好ましく、７／１０がより好ましく、１３／２０がさらに好ましい。係合片１４の折り曲げ部１８から先端に至るまでの突出方向長さ（ｄ）が上記下限未満の場合、一の包装箱２１の係合片１４を他の包装箱２２の係合孔２０に係合し、係合片１４を折り曲げ部１８において折り曲げたときに、商品の形態によっては係合片１４を商品によって的確に押止することができず、一対の包装箱２１、２２を確実に固定できないおそれがある。逆に、係合片１４の折り曲げ部１８から先端に至るまでの突出方向長さ（ｄ）が上記上限を超える場合、一の包装箱２１の係合片１４を他の包装箱２２の係合孔２０に係合する際の作業性及び一の包装箱２１の係合片１４を他の包装箱２２の係合孔２０に係合した後に係合片１４を折り曲げ部１８において折り曲げる際の作業性が低下するおそれがある。
【００２８】
＜包装箱セット＞
図３の包装箱セット３１は、包装箱２１及び包装箱２２を連結することで形成される。包装箱セット３１は、包装箱２１の係合片１４が包装箱２２の係合孔２０に係合すると共に、包装箱２２の係合片１４が包装箱２１の係合孔２０に係合し、各係合片１４が折り曲げ部１８において折り曲げられた状態で複数の商品１０１（内容物）が収納される。
【００２９】
包装箱セット３１は、図４に示すように、係合片１４が折り曲げ部１８において内側に折り曲げられた状態で、係合片１４の外面側（折り曲げた状態で外面に位置する側）を商品１０１の側面によって押さえつけられることで保持されている。
【００３０】
包装箱２１、２２は、各々係合片１４の基端部から破断容易線１９までの長さが糊代部１５の基端部から接合部位１７の一端側までの長さより小さく、かつ係合片１４の基端部から折り曲げ部１８までの長さが糊代部１５の基端部から接合部位１７の一端側までの長さ以上とされている。これにより、包装箱２１、２２は、各々の破断容易線１９が基端部位１６との重畳位置に形成されている。
【００３１】
＜利点＞
当該包装箱用シート１は、一端側のパネル２の一端の中央部から突設される係合片１４と、組立てられた他の包装箱用シートの係合片が係合可能な係合孔２０とを備える。それゆえ、一対の当該包装箱用シート１を組立てて形成される一対の包装箱２１、２２は、一の包装箱２１の係合片１４を他の包装箱２２の係合孔２０に容易に係合させることができると共に、他の包装箱２２の係合片１４を一の包装箱２１の係合孔２０に容易に係合させることができる。また、当該包装箱用シート１は、上記係合片１４が基端部付近に上記一端と略平行に形成される折り曲げ部１８を有するので、一の包装箱２１の係合片１４が他の包装箱２２の係合孔２０に係合され、他の包装箱２２の係合片１４が一の包装箱２１の係合孔２０に係合された状態で、一の包装箱２１の係合片１４及び他の包装箱２２の係合片１４を折り曲げ部１８において折り曲げることで一対の包装箱２１、２２を容易かつ確実に連結することができ、特にこれらの係合片１４を折り曲げたうえ、内容物によって押さえつけることで一対の包装箱２１、２２の連結をさらに強固に保つことができる。さらに、当該包装箱用シート１は、例えば上記係合片１４の基端部付近を切断することによって一対の包装箱２１、２２の連結を解除することができる。
【００３２】
当該包装箱用シート１は、他端側のパネル５の他端から延出される糊代部１５を備え、上記係合孔２０がこの他端側のパネル５の一端側に形成されることによって、一対の包装箱用シート１を組立てて形成される一対の包装箱２１、２２を上記他端側のパネル５同士が対向するように突き合わせた場合に、一の包装箱２１の係合片１４と他の包装箱２２の係合孔２０、及び他の包装箱２２の係合片１４と一の包装箱２１の係合孔２０を容易かつ確実に係合することができると共に、一対の包装箱２１、２２の連結を解除する場合の係合片１４の切断作業を容易かつ確実に行うことができる。
【００３３】
当該包装箱用シート１は、係合片１４が折り曲げ部１８よりも基端部側でパネル２の一端と略平行に形成される破断容易線１９を有することによって、一対の包装箱用シート１を組立てて形成される一対の包装箱２１、２２の連結を解除する場合の係合片１４の切断作業の容易化が促進される。また、当該包装箱用シート１は、このように破断容易線１９が折り曲げ部１８よりも基端部側に設けられることによって、係合片１４が折り曲げ部１８において折り曲げられた場合でも破断容易線１９自体は影響を受けないため、係合片１４の強度の低下を抑制することができる。
【００３４】
当該包装箱用シート１は、糊代部１５が組立状態において一端側のパネル２の裏面側に接合される接合部位１７と、この接合部位１７の基端部側に位置し、組立状態で側壁の一部を構成する基端部位１６とを有し、上記破断容易線１９が、組立状態における上記基端部位１６との重畳位置に形成されることによって、一対の包装箱用シート１を組立てて形成される一対の包装箱２１、２２の連結を解除する場合の係合片１４の切断作業の容易化がさらに促進される。また、当該包装箱用シート１は、このような構成によると、上記係合片１４を上記折り曲げ部１８において折り曲げた場合に上記破断容易線１９が上記基端部位１６によって内側から支持されることとなり、上記係合片の強度の低下が的確に抑制される。
【００３５】
当該包装箱セット３１は、一対の当該包装箱用シート１を組立てて形成される一対の包装箱２１、２２を有するので、一の包装箱２１の係合片１４を他の包装箱２２の係合孔２０に容易に係合することができると共に、他の包装箱２２の係合片１４を一の包装箱２１の係合孔２０に容易に係合することができる。また、当該包装箱セット３１は、当該包装箱用シート１が上記係合片１４の基端部付近にパネル２の一端と略平行に形成される折り曲げ部１８を有するので、一の包装箱２１の係合片１４が他の包装箱２２の係合孔２０に係合され、他の包装箱２２の係合片１４が一の包装箱２１の係合孔２０に係合された状態で、一の包装箱２１の係合片１４及び他の包装箱２２の係合片１４を折り曲げ部１８において折り曲げることで容易かつ確実に連結可能であり、特にこれらの係合片１４を折り曲げたうえ、内容物によって押さえつけることでこの連結をさらに強固に保つことができる。さらに、当該包装箱セット３１は、例えば一対の包装箱２１、２２の上記係合片１４の基端部付近を切断することによって一対の包装箱２１、２２の連結を解除することができる。
【００３６】
［その他の実施形態］
なお、本考案の包装箱用シート及び包装箱セットは、上記態様の他、種々の変更、改良を施した態様で実施することができる。例えば、係合孔は、組立てられた他の包装箱用シートの係合片が係合可能に位置している限り、必ずしも他端側のパネルの一端側に形成される必要はない。また、当該包装箱用シートは、複数の係合片及び係合孔を有することによって複数の包装箱と連結可能に形成されてもよい。
【００３７】
当該包装箱用シートは、必ずしも破断容易線を有する必要はない。また、当該包装箱用シートは、破断容易線を有する場合でも、必ずしも係合片の折り曲げ部よりも基端部側に形成される必要はなく、例えば折り曲げ部に破断容易線が形成されてもよい。
【００３８】
当該包装箱用シートは、糊代部を有する場合、この糊代部は必ずしも接合部位と基端部位とを有する必要はなく、例えば糊代部の表面全面が接合部位として形成されてもよい。
【産業上の利用可能性】
【００３９】
以上のように、本考案の包装箱用シート及び包装箱セットは、一対の包装箱を容易かつ確実に連結及び連結解除することができ、多数の商品を一体的に管理すると共に、このうちの商品を一定単位毎に取り扱うことができる商品管理用包装箱に好適である。
【符号の説明】
【００４０】
１  包装箱用シート
２、３、４、５  パネル
６、７、８、９  上側フラップ
１０、１１、１２、１３  下側フラップ
１４  係合片
１５  糊代部
１６  基端部位
１７  接合部位
１８  折り曲げ部
１９  破断容易線
２０  係合孔
２０ａ  係合片固定領域
２０ｂ  凸状領域
２１、２２  包装箱
３１  包装箱セット
１０１  商品
【図１】
0003193040.tif 000003
【図２】
0003193040.tif 000004
【図３】
0003193040.tif 000005
【図４】
0003193040.tif 000006
【図５】
0003193040.tif 000007